(57)【特許請求の範囲】
【請求項１】
配電線の分岐箇所における該配電線の本線と分岐線を連結状態にして前記本線に前記分岐線を保持させる連結保持具であって、
前記本線を掴んだ状態にして該本線に取り付ける第１把持部と、前記分岐線を掴んだ状態にして該分岐線に取り付ける第２把持部と、前記第１、第２把持部の間を繋いで連結状態を維持する連結線状部材と、該連結線状部材の長さを調整する調整部と、を備えており、
前記第１、第２把持部および前記調整部は、遠隔位置から操作する操作道具により操作して前記本線または前記分岐線の把持対象に着脱操作する操作部を備えて、
前記調整部は、前記連結線状部材を巻き取る巻取機構と、該巻取機構の一端側に棒状の前記操作道具を着脱自在に連結して操作する前記操作部として機能する着脱部材と、を備えて、該着脱部材に連結した前記操作道具を回転させることにより前記巻取機構を機能させて前記第１、第２把持部の間の離隔長さを調整することを特徴とする連結保持具。
【請求項２】
前記調整部は、前記第１、第２把持部の一方に固定されており、
前記第１、第２把持部の一方および前記調整部の前記操作部は、それぞれ同一方向から前記操作道具をアプローチさせて操作可能に配置されていることを特徴とする請求項１に記載の連結保持具。
【請求項３】
少なくとも前記調整部と一体の前記第１、第２把持部の一方は、前記把持対象に隣接させて該把持対象を位置決めする受け部材と、該受け部材に接近する方向に移動して前記把持対象を当該受け部材に押し付ける押付部材と、該押付部材の一端側に棒状の前記操作道具を着脱自在に連結して操作する前記操作部として機能する着脱部材と、該着脱部材に連結した前記操作道具を回転させることにより前記押付部材を前記受け部材に接近または離隔する方向に移動させるネジ構造と、を備えて、前記把持対象を前記受け部材と前記押付部材の間で掴んだ状態にすることを特徴とする請求項１または２に記載の連結保持具。
【請求項４】
少なくとも前記調整部と一体にされていない前記第１、第２把持部の他方は、把持機能を備える前記操作道具により摘んで操作するクリップ構造に作製されていることを特徴とする請求項３に記載の連結保持具。
【発明の詳細な説明】
【技術分野】
【０００１】
本発明は、連結保持具に関し、詳しくは、切断する電線を切断しない電線に連結して保持させる道具に関する。
【背景技術】
【０００２】
高圧配電線に自動開閉器等を設置する際には、制御用電源として両電源変圧器を配置する場合があり、この両電源変圧器は、その設置装置の電源側と負荷側のそれぞれから高圧引下線を受電可能に接続されて、電力を設置装置に適した電圧に変圧して電力供給するようになっている。
この両電源変圧器は、高圧配電線との間に切り離し可能にカットアウトを介在させていない環境で交換する際には、一方の高圧引下線を切断しても他方の高圧引下線からの電力供給が可能である。このことから、切断端部は高電圧が印加されている充電部となって露出する状態となるので、計画的に停電させて交換作業を行なう必要がある。
【０００３】
しかしながら、夏季など停電させること自体が難しい場合には、切断した高圧引下線を保持して作業することが考えられる。
しかし、単に切断する高圧引下線にクリップ状の把持部材を取り付けたとしても、端部が充電部となっている切断後の高圧引下線が自由に動いてしまうことを抑えることができない（例えば、特許文献１〜３）。
【先行技術文献】
【特許文献】
【０００４】
【特許文献１】実用新案登録第３００５２０７号公報
【特許文献２】特開２０１０−１４８２５５号公報
【特許文献３】特開２０１０−２４６３０８号公報
【発明の概要】
【発明が解決しようとする課題】
【０００５】
そこで、本発明は、切断する電線を切断しない電線に連結保持させて自由に動くことを制限するようにし、停電の必要なく両電源変圧器の交換作業を安全に行い得るようにする道具を提供することを目的としている。
【課題を解決するための手段】
【０００６】
上記課題を解決する連結保持具の発明の一態様は、配電線の分岐箇所における該配電線の本線と分岐線を連結状態にして前記本線に前記分岐線を保持させる連結保持具であって、前記本線を掴んだ状態にして該本線に取り付ける第１把持部と、前記分岐線を掴んだ状態にして該分岐線に取り付ける第２把持部と、前記第１、第２把持部の間を繋いで連結状態を維持する連結線状部材と、該連結線状部材の長さを調整する調整部と、を備えて、前記第１、第２把持部および前記調整部は、遠隔位置から操作する操作道具により操作して前記本線または前記分岐線の把持対象に着脱操作する操作部を備えることを特徴とするものである。
【発明の効果】
【０００７】
このように本発明の一態様によれば、本線への第１把持部の取り付けと、分岐線への第２把持部の取り付けと、この第１、第２把持部の間を繋ぐ連結線状部材の調整部による長さ調整と、を遠隔位置から操作道具を用いて操作することで、配電線の本線に連結する分岐線までの連結長さを調整することができる。
したがって、配電線の本線に分岐線を連結状態のまま引き付けるなどして動きを制限するように保持させることができる。
この結果、停電させることなく、充電箇所の動きを制限して安全性を確保した状態で両電源変圧器を交換する作業を行うことができる。
【図面の簡単な説明】
【０００８】
【図１】本発明に係る連結保持具の一実施形態の概略構成を示す図であり、その使用時の状態を示す斜視図である。
【図２】その要部構成を示す平面図である。
【図３】その図２と異なる要部構成を示す図であり、（ａ）はその長さ方向から見た平面図、（ｂ）はその長さ方向に対する直交方向から見た平面図、（ｃ）は（ａ）、（ｂ）の双方に直交する方向から見た平面図である。
【図４】その使用時に利用する操作道具を示す平面図である。
【図５】その使用時に利用する図４と異なる種類の操作道具を示す平面図である。
【図６】他の態様で使用する図２の要部構成の代用品を示す平面図である。
【発明を実施するための形態】
【０００９】
本発明の実施形態の一態様としては、配電線の分岐箇所における該配電線の本線と分岐線を連結状態にして前記本線に前記分岐線を保持させる連結保持具であって、前記本線を掴んだ状態にして該本線に取り付ける第１把持部と、前記分岐線を掴んだ状態にして該分岐線に取り付ける第２把持部と、前記第１、第２把持部の間を繋いで連結状態を維持する連結線状部材と、該連結線状部材の長さを調整する調整部と、を備えて、前記第１、第２把持部および前記調整部は、遠隔位置から操作する操作道具により操作して前記本線または前記分岐線の把持対象に着脱操作する操作部を備えるのに加えて、次の構成を備えてもよい。
【００１０】
第１の他の態様としては、前記調整部は、前記第１、第２把持部の一方に固定されており、前記第１、第２把持部の一方および前記調整部の前記操作部は、それぞれ同一方向から前記操作道具をアプローチさせて操作可能に配置されていてもよい。
この態様では、第１把持部に調整部を一体に固定している場合には本線側に安定させた状態に取り付けて操作することができ、第２把持部に調整部を一体に固定している場合には分岐線の位置などを操作道具で直接操作しつつ第１把持部側に保持させることができる。
【００１１】
第２の他の態様としては、少なくとも前記調整部と一体の前記第１、第２把持部の一方は、前記把持対象に隣接させて該把持対象を位置決めする受け部材と、該受け部材に接近する方向に移動して前記把持対象を当該受け部材に押し付ける押付部材と、該押付部材の一端側に棒状の前記操作道具を着脱自在に連結して操作する前記操作部として機能する着脱部材と、該着脱部材に連結した前記操作道具を回転させることにより前記押付部材を前記受け部材に接近または離隔する方向に移動させるネジ構造と、を備えて、前記把持対象を前記受け部材と前記押付部材の間で掴んだ状態にするようにされていてもよい。
この態様では、調整部と一体で重量のある第１、第２把持部の一方は、棒状操作道具を着脱部材に取り付けて回転させるだけでネジ構造により押付部材を進退させることにより、その押付部材で把持対象を受け部材に押し付けるようにして位置決め把持させることができ、調整部に操作力が加わっても把持対象を信頼性高く把持する状態を維持することができる。
【００１２】
第３の他の態様としては、少なくとも前記調整部と一体にされていない前記第１、第２把持部の他方は、把持機能を備える前記操作道具により摘んで操作するクリップ構造に作製されていてもよい。
この態様では、調整部と別体で軽量の第１、第２把持部の他方は、把持操作道具で操作可能なクリップ構造で把持対象に容易かつ簡易に着脱することができ、作業性を向上させることができる。
【００１３】
第４の他の態様としては、前記調整部は、前記連結線状部材を巻き取る巻取機構と、該巻取機構の一端側に棒状の前記操作道具を着脱自在に連結して操作する前記操作部として機能する着脱部材と、を備えて、該着脱部材に連結した前記操作道具を回転させることにより前記巻取機構を機能させて前記第１、第２把持部の間の離隔長さを調整するようにされていてもよい。
この態様では、棒状操作道具を着脱部材に取り付けて回転させるだけで巻取機構を機能させて連結線状部材を巻き取ることができ、第１、第２把持部間の離隔間隔（離隔長さ）を容易に調整して、分岐線を本線の近傍まで引き付けさせるなどして容易に保持させることができる。
【００１４】
以下、図面を参照して、本発明の実施形態について詳細に説明する。図１〜図５は本発明に係る連結保持具の一実施形態を示す図である。
図１において、連結保持具１０は、電柱ＵＰに設置する両電源変圧器ＴＷを交換する際に使用する間接活線作業用の補助道具である。この連結保持具１０は、高圧配電線の本線である送電線（把持対象）Ｄを把持する第１把持部１１と、両電源変圧器ＴＷに接続する送電線Ｄからの分岐線である高圧引下線（把持対象）ｄを把持する第２把持部２１と、これら第１、第２把持部１１、２１の双方を繋いで連結状態を維持するワイヤ（連結線状部材）Ｗと、このワイヤＷを巻いて長さを調整することで第１、第２把持部１１、２１の間の離隔間隔を調整する調整部３１と、を備えて構成されている。
【００１５】
ここで、両電源変圧器ＴＷは、電柱ＵＰの腕金ＡＭに引き留めて架線する送電線Ｄの間に設置する自動開閉器ＣＢなどの制御用電源としてその腕金ＡＭに取り付けられており、この両電源変圧器ＴＷは、自動開閉器ＣＢの上流側と下流側の送電線Ｄのそれぞれに分岐接続する高圧引下線ｄを接続されて、その上流側と下流側の送電線Ｄのいずれからも駆動用電力を受電できるようになっている。このため、両電源変圧器ＴＷは、交換するために高圧引下線ｄを切断したときには、停電させない限り、切断箇所に高電圧が露出する充電箇所となる。
【００１６】
そして、第１把持部１１は、図２に示すように、雌ネジ１２ａが形成されている基底部１２と、この基底部１２から連続する上下反転したＪ字形状部１３と、基底部１２の雌ネジ１２ａに噛み合って回転することにより頭部側をＪ字形状部１３の湾曲形状部（受け部材）１３ａに向かって進退させる雄ネジ（ネジ構造）１４と、この雄ネジ１４の頭部に相対回転自在に連結されている押付部材１５と、雄ネジ１４の頭部の反対側に相対回転不能に固定されて後述の図４に示す絶縁操作棒（棒状操作道具）１００の先端部を着脱自在に連結するジョイント操作部（着脱部材）１６と、を備えて構築されている。
この構成により、第１把持部１１は、Ｊ字形状部１３の湾曲形状部１３ａを送電線Ｄに回転不能に引っ掛けることができ、このＪ字形状部１３と一体の基底部１２に対してジョイント部１６を介して雄ネジ１４を順回転させることにより、頭部の押付部材１５をＪ字形状部１３の縦板部１３ｂに回転しないように案内させつつ湾曲形状部１３ａに接近させて押し付けることで送電線Ｄを間に挟んで把持することができ、反対に逆回転させることで押付部材１５を離隔させて送電線Ｄから外すことができる。
ここで、押付部材１５は、送電線Ｄの押し付け面にゴム板１５ｒが固定されており、挟み込む送電線Ｄがずれてしまうことを制限して、安定して把持する状態を維持することができるようになっている。
【００１７】
第２把持部２１は、図３に示すように、高圧引下線ｄの外周面に沿う内周面を有する円筒形状を二つ割りして圧接させる一対の圧接部２２と、この圧接部２２の一端辺２２ａ側を開閉可能に他端辺２２ｂ側を相対回転自在に連結するヒンジ部２３と、ヒンジ部２３の両側の他端辺２２ｂ側外周面にリブ形状に一体形成されて互いに接近することにより圧接部２２の一端辺２２ａを開口させる一対のツマミ部２４と、このツマミ部２４の間に圧縮状態で設置されて離隔方向に付勢するスプリング２５と、を備えるクリップ構造に構築されている。
この構成により、第２把持部２１は、ツマミ部２４を摘んでスプリング２５の付勢力に抗して接近させることにより、圧接部２２の一端辺２２ａを開口させて高圧引下線ｄを内部に位置させることができ、その摘み力を緩めてツマミ部２４をスプリング２５の付勢力で離隔させることにより、圧接部２２の一端辺２２ａ間を閉めて高圧引下線ｄを挟む状態で把持することができ、再度、ツマミ部２４を摘むことで圧接部２２の一端辺２２ａを開口させて高圧引下線ｄから外すことができる。
ここで、圧接部２２は、高圧引下線ｄに圧接させる内面にゴム板２２ｒが固定されており、挟み込む高圧引下線ｄの延長方向や外れる方向にずれてしまうことを制限して、安定して把持する状態を維持できるようになっている。また、ヒンジ部２３の一端側に不図示の連結孔の開口する連結部２６が一体形成されており、その連結孔にワイヤＷを通して連結部２６に連結できるようになっている。
【００１８】
調整部３１は、図２に戻って、ワイヤＷを巻き付ける巻棒（巻取機構）３２と、この巻棒３２の上下両端部を回転自在に支持する支持部３３と、切換レバー３４ａの倒す向きを変えることで巻棒３２の許容回転方向を切り換えることにより機能させる回転方向、すなわち、許容するワイヤＷの巻付または引出を選択する支持部３３内に内蔵のラチェット機構３４と、支持部３３を貫通する巻棒３２の基端部に相対回転不能に固定されて絶縁操作棒１００の先端部を着脱自在に連結するジョイント操作部（着脱部材）３６と、を備えて構築されている。
この構成により、調整部３１は、切換レバー３４ａの切換操作後にジョイント部３６を介して巻棒３２を順回転させることによりワイヤＷを巻き取って引出長さを短くし、反対に逆回転させたり、引っ張ることを許容してワイヤＷの引出長さを長くすることができる。
【００１９】
この調整部３１は、支持部３３が第１把持部１１のＪ字形状部１３の縦板部１３ｂの背面側に固定されており、引き出したワイヤＷの先端側に第２把持部２１の連結部２６が連結されている。
この構成により、連結保持具１０は、調整部３１でワイヤＷの引出長さを調整することにより、第１、第２把持部１１、２１の離隔する連結間隔を調整することができる。
【００２０】
この第１把持部１１および調整部３１のジョイント部１６、３６は、絶縁操作棒１００の先端部を差込可能に円筒形状に形成されており、円筒形状の対面する周面のそれぞれが概略Ｔ字形状に切り欠かれて開口することにより後端面（絶縁操作棒１００）側から先端側に向う差込切欠部４６と、この差込切欠部４６の直交方向の両側に連続するように屈曲する係合切欠部４７と、が一対形成されている。
【００２１】
これに対して、絶縁操作棒１００は、図４に示すように、円柱形状の先端部の互いに反対側となる側面に突起形状に一対立設されることによりジョイント部１６、３６の２箇所の切欠部４６、４７内に挿し込んで係合させることのできるピン１０１と、先端部の先端面に配設されて不図示の内蔵スプリングにより突出方向に付勢されている突起１０２と、先端部の側面に刻設されている不図示のネジ形状に螺合して進退可能なグリップ１０３と、滑り難い材質の取替え可能な滑り止が施されて作業員の把持する基端部側の把持部１０４と、を備えている。
この構成により、第１把持部１１と調整部３１は、ジョイント部１６、３６内に絶縁操作棒１００の先端部を差し込んで突起１０２を内蔵スプリングの弾性力に抗して沈ませつつ、ピン１０１の双方を切欠部４６、４７内に進入させて回転させた後に、その進入させる力を解放すると、突起１０２がスプリングの弾性力により突出してジョイント部１６、３６を押し出すことにより、その係合切欠部４７から屈曲する係合溝４７ａ内にピン１０１を離脱不能に係合させることができ、その絶縁操作棒１００を回転させることで送電線Ｄへの取付（把持）操作や取外操作を遠隔位置からすることができる。この絶縁操作棒１００は、逆操作することで第１把持部１１や調整部３１のジョイント部１６、３６から外した状態にして両電源変圧器ＴＷの交換作業を行なってもよく、あるいは、グリップ１０３を回転させてジョイント部１６、３６側に寄せることによりピン１０１が係合溝４７ａ内から離脱して回転しないようにロックした状態にして両電源変圧器ＴＷの交換作業をしてもよい。
なお、この絶縁操作棒１００は、中間部分に傘カバー１０５、１０６が取り付けられているとともに、全体をプラスチックなどの絶縁材料で作製されることにより絶縁性が確保されており、先端側の傘カバー１０５が第１把持部１１や調整部３１側からの水分を滴下させるとともに、基端側の傘カバー１０６が安全に作業を行い得る限界位置を示して、作業する際の安全を確保している。
【００２２】
その一方で、第２把持部２１も後述の図５に示すヤットコ（把持操作道具）２００を用いてツマミ部２４を摘むことにより高圧引下線ｄへの取付（把持）操作や取外操作を遠隔位置から行うことができる。
ヤットコ２００は、図５に示すように、対象物を掴む把持部２１０と、作業者が把持して支持する支持棒２３１と、伝達棒２３２を介して操作力を伝達することにより把持部２１０を操作するハンドル２２２と、を備えている。
この構成により、ヤットコ２００は、支持棒２３１に固設されている把持部２１０の不動部材２１１に対して、ハンドル２２２を操作することにより伝達棒２３２に連結されている可動部材２１２を回動軸２１３を中心に回動させることにより、把持部２１０の部材２１１、２１２の先端部２１１ａ、２１２ａの間で第２把持部２１のツマミ部２４などの対象物等を掴む（摘む）ことができる。
なお、このヤットコ２００でも、掴む側からの水分を滴下させる傘カバー２３４と、掴む側からの絶縁性を考慮して安全に作業を行い得る限界位置を示す傘カバー２３５とを備えて、概略全体をプラスチックやゴム材料などの絶縁材料で作製されることにより絶縁性が確保されている。
【００２３】
したがって、連結保持具１０は、絶縁操作棒１００を操作して遠隔位置から調整部３１と一体で重量のある第１把持部１１を送電線Ｄに取り付けるとともに、その第１把持部１１と一体の調整部３１から引き出したワイヤＷ端部で軽量の第２把持部２１をヤットコ２００を操作して高圧引下線ｄに容易に取り付けることができる。この後には、調整部３１を同様に遠隔位置から絶縁操作棒１００で操作してワイヤＷを巻き取らせることにより、第１把持部１１に第２把持部２１が接近するように牽引した状態にして支持させることができる。
このため、両電源変圧器ＴＷの交換のために切断した高圧引下線ｄの端部が自由に動いてしまうことをなくして、充電部となる高圧引下線ｄの端部に作業者等が触れてしまうことをなくして安全性を確保しつつその交換作業を行なうことができる。
【００２４】
ここで、本実施形態の他の態様としては、本実施形態では図３に示すクリップ構造の第２把持部１２を用いる場合を一例にして説明するが、これに限るものではなく、第２把持部も第１把持部１１と同様の構成にしてもよい。
また、第２把持部としては、図６に示すように、汎用の所謂、洗濯バサミ構造のクリップ（第２把持部）５１を採用して、高圧引下線ｄを挟む半円形の挟み部５２の反対側にワイヤＷとの連結部５６を配置することにより、ワイヤＷの牽引力で高圧引下線ｄに屈曲させる負荷を加えつつ保持するようにして、延長方向にずれるのを制限しつつ連結支持するようにしてもよい。
【００２５】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００２６】
１０   連結保持具
１１   第１把持部
１２ａ 雌ネジ
１３   Ｊ字形状部
１３ａ 湾曲形状部
１４   雄ネジ
１５   押付部材
１５ｒ ゴム板
１６、３６    ジョイント部
２１   第２把持部
２２   圧接部
２２ｒ ゴム板
２３   ヒンジ部
２４   ツマミ部
２５   スプリング
２６   連結部
３１   調整部
３２   巻棒
３４   ラチェット機構
３４ａ 切換レバー
１００ 絶縁操作棒
２００ ヤットコ
ＣＢ   自動開閉器
ｄ     高圧引下線
Ｄ     送電線
ＰＵ   電柱
ＴＷ   両電源変圧器
ＵＰ   電柱
Ｗ     ワイヤ
【要約】
【課題】切断する電線を切断しない電線に連結保持させて自由に動くことを制限するようにし、停電の必要なく両電源変圧器の交換作業を安全に行い得るようにする道具を提供すること。
【解決手段】送電線Ｄから分岐した高圧引下線ｄをその送電線に連結して保持させる連結保持具１０であって、送電線を掴んだ状態にして取り付ける第１把持部１１と、高圧引下線ｄを掴んだ状態にして取り付ける第２把持部１２と、第１、第２把持部の間を繋いで連結状態を維持するワイヤＷと、ワイヤの引出長さを調整する調整部３１と、を備えて、第１把持部および調整部は、遠隔位置から操作する絶縁操作棒を連結して送電線への着脱などの操作を可能にするジョイント部を備える。
【選択図】図１【図１】
0005518983.tif 000002
【図２】
0005518983.tif 000003
【図３】
0005518983.tif 000004
【図４】
0005518983.tif 000005
【図５】
0005518983.tif 000006
【図６】
0005518983.tif 000007